(57)【要約】      （修正有）【課題】ピアスや薬等を収納して携帯する容器に容易に表示体を入れ替え可能な表示手段を設けた収納容器を提供する。【解決手段】円筒形の容器本体１の外周上に着脱可能な透明なカバー３を設け、容器本体１とカバー３の間に安定した空間部を有する二層構造の容器であり、この空間部に写真やラベル等の表示体６を挿入して入れ替えが可能な容器であり、挿入された表示体６が透明なカバー３を透視して外側から観賞可能であり、携帯ストラップやキーホルダー等に接続して携帯することができる写真、ラベル等の表示体が入れ替え可能である。【選択図】図４
0003156102.tif 000002
【実用新案登録請求の範囲】
【請求項１】
収容物を収納できる中空部４を有する円筒状の本体部１と、この円筒状の本体部１との間に空間部５を保持して外周を覆う透明または半透明のカバー３と、本体部１の中空部４とカバー３とを開閉するための蓋部２とを有し、空間部５に写真やラベル等の表示体６を装着して外側からカバー３を通して鑑賞可能とした写真、図面等の表示体が入れ替え可能な収納容器。
【請求項２】
蓋部２の一部には携帯ストラップ等に接続するための穴２ｅを有している請求項１記載の写真、図面等の表示体が入れ替え可能な収納容器。
【考案の詳細な説明】
【技術分野】
【０００１】  本考案は円筒形の容器本体の外周上に着脱可能な透明または半透明なカバーを有する二層構造の容器であり、容器とカバーの間に安定して空間部を維持できる構造を有し、この空間部に沿って円筒状に折り曲げた写真やラベル等の表示体を挿入して保持したり入れ替えが可能な容器であり、挿入された表示体が透明または半透明なカバーを透視して観賞可能であり、携帯ストラップやキーホルダー等に接続して使用する多目的容器として使用できる写真、ラベル等の表示体が入れ替え可能な収納容器に関する。
【背景技術】
【０００２】  ピアスや薬等を収納する小型の収納容器の外装表示において、円筒形のような曲面状の物品の場合、容器に直接印刷する方法では多色になるほど印刷工程が複雑化する。さらに、多品種になるほど各品種の生産数量は少なくなり、物品に直接印刷する方法では生産コストが非常に上昇するという課題を持っている。【０００３】  販売促進品などに使用する収納容器において、販売促進情報や流行のデザインが印刷されたものは時間の経過とともに表示内容が古くなり、物品そのものの陳腐化に繋がるという課題がある。一方、嗜好品や携帯品などの物品を好み等に応じて装飾するための後付け型の装飾用品が多く存在するように、使用者が任意の写真や図柄等を表示できる手段を容器側に設ければ使用者別の好みや目的に応じた表現効果が得られ、その表示内容を容易に交換できる表示手段があれば表示内容の陳腐化を防いで容器を繰り返し利用することができる。【０００４】  飲料用容器において、容器本体の外周部に透明のカバーを有する二層構造で、容器本体と透明カバーの間にイラストやロゴなどが印刷された表示体を挿入してこれを物品の外側から観賞でき、この表示体の差し替えができるものは既にある。しかし、液体を扱う目的から表示体を挿入する空間部への液体の進入および表示体が濡れることを防止するために表示体の挿入口と液体の注水口を別個に設ける必要があり、構造が複雑になっていた（特許文献１参照）。
【先行技術文献】
【特許文献】
【０００５】
【特許文献１】実用新案登録第３１３２００４号  公報
【考案の概要】
【考案が解決しようとする課題】
【０００６】  このような収納容器を図柄やロゴなどの表示の区別によって多品種化する場合、収納容器自体に直接印刷する方法はコストの負担が大きくなる。さらに、表示内容が時間の経過とともに古くなれば商品価値が低下することが考えられる。本考案の収納容器は、安価なラベルを品種毎に作成して装着できて且つ自由に入れ替え可能な表示手段付きとすることで前述の課題を解決しようとするものである。また、ラベル等の表示体を入れ替えるだけで表示が変更できることで、ラベルを容器に貼り付ける方法と比較しても多品種少量化への対応を容易にするものである。【０００７】  特許文献１の多目的容器は液体を扱うことを目的の一つとしている為にラベル等の表示体を挿入する空間部と容器本体の収納部は個別に開閉機構を設けているが、本考案は表示体の挿入部と容器本体の収納部の開閉を１個体の蓋で共有することで構造を簡易化し、製造コストを安価にしようとするものである。
【課題を解決するための手段】
【０００８】  本考案は円筒形の容器本体の外周上に透明性のあるカバーを設置し、容器本体の外周面と外側カバーの内面との間にほぼ均一な隙間空間を形成する二層構造とし、本体内の中空部はピアスや薬等を収納する容器であり、収納容器本体と外側カバーとの隙間空間部に写真やラベル等の表示体を挿入して保持したり、自由に入れ替え可能とした。【０００９】  収納容器の上部に着脱式の蓋を設け、蓋の着脱によって容器本体内の中空部と容器本体の外周面に形成された空間部が同時に開閉できるようにした。
【考案の効果】
【００１０】  本考案によれば収納容器の品種毎にイラストやロゴ等を印刷したラベル類を作成して挿入し、該ラベル類の表示体が透明カバーを透視して外部から視認できることで多品種化に対応可能であり、曲面体への複雑な印刷工程は安価なラベル類の使用によって簡易化し、品種毎の販売経過に応じてラベル類を売れ筋に交換するだけで在庫負担が軽減されて総体的にコストが抑制できる。さらに、時間の経過とともに表示内容が古くなった際はラベル類を交換することで解消でき、生産者や販売者側の在庫負担軽減は勿論、使用者側は好みや目的に応じて写真やイラストを入れ替えて商品を繰り返し使用できる。【００１１】  特許文献１の多目的容器が容器本体内の中空部と容器本体の外周面に形成された空間部を開閉するためにそれぞれ別個の開閉機構を有するのに対し、本考案では収納容器の上部の蓋１個の着脱で共用できる簡易な構造にして製造コストを抑制するものとした。
【図面の簡単な説明】
【００１２】
【図１】本考案の写真、ラベル等の表示体が入れ替え可能な収納容器の一実施例を示す正面図である。
【図２】「図１」の収納容器を各部品毎に分解した状態を示す正面図である。
【図３】「図１」の収納容器のＡ−Ａ’から切断し、上から見た横断面図である。
【図４】本収納容器に写真、図面等を入れ替える状態を説明する斜視図である。
【考案を実施するための形態】
【００１３】  円筒形の容器本体の外周上に着脱可能な透明または半透明な筒形カバーを有する二層構造の収納容器とし、容器本体内にピアスや薬等を収納する中空部を設け、容器本体の外周面とカバーとの隙間には円筒状に折り曲げた写真やラベル等の表示体を挿入する空間部を設けている。挿入された表示体はカバーの外側から透視して視認可能である。容器の上部の蓋は２箇所の収納部を開閉するもので、蓋を開閉すると容器本体の中空部への収納口と表示体を入れる空間部への挿入口が同時に開閉する。また、携帯ストラップやキーホルダーやネックレス等に接続を可能とするためにストラップ等の紐や連結用のリング類を通せる穴を設けている。
【実施例】
【００１４】  以下、添付図面に従って一実施例を説明する。［図１］から［図４］において、１はアルミニウム等で作られる本体部で、ピアス、薬等を収納する円筒形の収納容器として使用するために中空に形成してあり、その内側の上部はメス型にネジ切りしたネジ部１ｂが設けられている。また本体部１の下側は、後述する円筒形の中空状のカバー部３を受け止めるためカバー部３の外周とほぼ一致した形状の台座部１ｃを有し、さらにカバー部３の内側と嵌め合い、ガタつきを防ぐためのフランジ部１ａが一体的に形成されている。２は蓋部であって、その直径は本体部１の台座部１ｃ及びカバー部３の直径とほぼ一致させてある。【００１５】  蓋部２の上面にはストラップ等の紐や連結用のリング類を通すための穴２ｅを有する突起部２ｄが一体的に設けられている。また蓋部２の突起部２ｄの反対側の面には本体部１のネジ部１ｂとネジ止めするためのオス型にネジ切りしたネジ部２ｃが設けられている。さらにネジ部２ｃの付け根部分は本体部１のフランジ１ａと同径状のフランジ２ａが一体的に形成されている。またこのフランジ２ａには弾力性のある樹脂あるいはラバー系の材料で作った本体部１の外周面とほぼ同一形状のリング２ｂが嵌め込まれており、本体部１に蓋部２を取り付ける際の緩衝と固着する役目をする。３は円筒形状の透明あるいは半透明のアクリル樹脂等で形成されたカバー部である。【００１６】  そして、これらを組み立てると［図３］に示すようにピアスや薬等を入れる本体部１自身に設けられた収納容器として利用する中空部４と本体部１とカバー部３との間にできる空間部５が形成される。この円筒形状の空間部５はフランジ１ａ、２ａで安定した空間であり、［図４］に示すように写真やラベル等の表示体６が丸められて収納され、収納容器の外側から観賞することができる。なお表示体６は任意の画像等でよいのは勿論である。このように構成された収納容器は携帯電話機やカバン等に吊り下げて利用することができるし、キーホルダーにもいろいろな用途が考えられる。個人の好みや目的に応じて簡単に写真、画像等の表示体６を交換でき、製造メーカーは多品種化への対応が容易になる。
【符号の説明】
【００１７】  １    容器本体
１ａ  フランジ
１ｂ  ネジ
１ｃ  台座
２    蓋
２ａ  フランジ
２ｂ  リング
２ｃ  ネジ
２ｄ  突起部
２ｅ  穴
３    カバー
４    中空部
５    空間部
６    表示体
【図１】
0003156102.tif 000003
【図２】
0003156102.tif 000004
【図３】
0003156102.tif 000005
【図４】
0003156102.tif 000006